(57)【要約】【課題】リファレンスシグナルの時間方向の挿入間隔が大きい場合でも、チャネル推定を精度よく行う。【解決手段】複数のサブキャリアを用いた無線通信におけるチャネル推定を行うチャネル推定部２６において、ＩＦＦＴ処理部１１４は、サブキャリアのチャネル推定値を逆フーリエ変換処理し、雑音抑圧部５２は、逆フーリエ変換処理により得られた複素遅延プロファイルの中心を含む所定の範囲のサンプルを除去し、ＦＦＴ処理部１１６は、所定の範囲のサンプルが除去された複素遅延プロファイルをフーリエ変換処理する。【選択図】図３
2010183277.tif 000002
【特許請求の範囲】
【請求項１】
複数のサブキャリアを用いた無線通信におけるチャネル推定を行う信号処理装置において、
サブキャリアのチャネル推定値を逆フーリエ変換処理する逆フーリエ変換手段と、
上記逆フーリエ変換処理により得られた複素遅延プロファイルの中心を含む所定の範囲のサンプルを除去する除去手段と、
上記所定の範囲のサンプルが除去された上記複素遅延プロファイルをフーリエ変換処理するフーリエ変換手段と
を有することを特徴とする信号処理装置。
【請求項２】
請求項１に記載の信号処理装置であって、
リファレンスシグナルがマッピングされた第１のサブキャリアのチャネル推定値を、上記リファレンスシグナルから求める第１の推定手段と、
上記第１のサブキャリアの間の所定の位置にある第２のサブキャリアのチャネル推定値を、上記第１のサブキャリアのチャネル推定値を補間して求める第２の推定手段と
をさらに有し、
前記逆フーリエ変換手段は、上記第１のサブキャリア及び第２のサブキャリアのチャネル推定値を逆フーリエ変換処理する
ことを特徴とする信号処理装置。
【請求項３】
請求項２に記載の信号処理装置であって、
前記第２の推定手段は、前記第２のサブキャリアに対して時間方向に位置する前記第１のサブキャリアのチャネル推定値の差異と周波数方向に位置する前記第１のサブキャリアのチャネル推定値の差異を比較し、差異が小さい方のチャネル推定値を補間して前記第２のサブキャリアのチャネル推定値を推定し、
前記除去手段は、前記第２の推定手段により、時間方向に位置する前記第１のサブキャリアのチャネル推定値が補間されて前記第２のサブキャリアのチャネル推定値が求められたとき、前記逆フーリエ変換処理により得られた複素遅延プロファイルの中心を含む所定の範囲のサンプルを除去する
ことを特徴とする信号処理装置。
【請求項４】
請求項２に記載の信号処理装置であって、
前記除去手段は、前記第２の推定手段により、外挿によって前記第２のサブキャリアのチャネル推定値が求められたとき、前記逆フーリエ変換処理により得られた複素遅延プロファイルの中心を含む所定の範囲のサンプルを除去する
ことを特徴とする信号処理装置。
【請求項５】
請求項１に記載の信号処理装置であって、
前記除去手段は、前記所定の範囲のサンプルの値を、０値又は所定の値より小さい値に置き換える
ことを特徴とする信号処理装置。
【請求項６】
請求項１に記載の信号処理装置であって、
前記複素遅延プロファイルの有効な遅延パス長以降にあるピーク値を０値又は所定の値より小さい値に置き換える
ことを特徴とする信号処理装置。
【発明の詳細な説明】
【技術分野】
【０００１】
本発明は、信号処理装置、信号処理方法、及びプログラムに関する。
【背景技術】
【０００２】
携帯電話などの移動端末の普及に伴い、無線通信でも大容量のデータを高速で通信し、動画や音声などのマルチメディアデータを移動端末で利用可能にする次世代通信方式の研究、開発が盛んに行われている。
【０００３】
３ＧＰＰ（3rd Generation Partnership Project）では、次世代通信方式として、下りリンクで最大１００Ｍｂｐｓの伝送速度を前提としたＬＴＥ（Long Term Evolution）が検討されている。このＬＴＥでの下りの無線伝送方式として、ＯＦＤＭ（Orthogonal Frequency Division Multiplexing）を用いた通信方式が注目されている。
【０００４】
ＯＦＤＭ方式では、使用する帯域が複数のサブキャリアに分割され、それぞれのサブキャリアに各データシンボルが割り当てられて送信される。サブキャリアは、周波数軸上で互いに直交するように配置されるため、周波数利用効率に優れている。また、各サブキャリアは狭帯域となるため、マルチパス干渉の影響を抑えることができ、高速大容量通信が可能となる。
【０００５】
無線通信では、無線通信路（チャネル）において、マルチパスフェージング等に起因する信号の歪みが生じる。そこでＯＦＤＭ信号の受信に際しては、チャネル特性の推定値（以下、チャネル推定値と称する）が推定され、そのチャネル推定値に基づいてチャネルで受けた信号の歪みが補償される。チャネル推定値の精度が低いと、信号の歪みが適切に補正されないので、受信信号の復調精度が低下する。
【０００６】
図７は、ＬＴＥの受信機（図示せず）においてチャネル推定を行うチャネル推定部１０１の構成例を示すブロック図である（非特許文献１、特許文献１参照）。図８は、このチャネル推定部１０１におけるチャネル推定処理の流れを示すフローチャートである。
【０００７】
図７及び図８を参照して、チャネル推定部１０１の各部の動作、及びチャネル推定部１０１におけるチャネル推定処理を説明する。
【０００８】
チャネル推定部１１１は、チャネル推定部１０１に供給された各サブキャリアの受信信号から、データシンボルとともに多重されているリファレンスシグナルのパターンをキャンセルし、リファレンスシグナルがマッピングされているサブキャリア（以下、第１のサブキャリアと称する）の仮のチャネル推定値（以下、第１のサブキャリアのチャネル推定値と称する）を求める（ステップＳ１０１）。
【０００９】
図９及び図１０は、複数の入力と複数の出力（即ち、複数の送信アンテナと受信アンテナ）で形成される伝送路で異なる信号を並列伝送するMIMO (Multi-Input Multi-Output)伝送におけるリファレンスシグナルのマッピングの例を示す図である。図９は、送信アンテナＴ0及び送信アンテナＴ1のリファレンスシグナルのマッピングの例を示し、図１０は、送信アンテナＴ2及び送信アンテナＴ3のリファレンスシグナルのマッピングの例を示している。図中、黒塗りのサブキャリアには、リファレンスシグナルがマッピングされている。
【００１０】
このようにリファレンスシグナルは、ＯＦＤＭシステムの時間軸及び周波数軸（time and the frequency dimension）上に、規則的に分散される。すなわち、リファレンスシグナルは、所定の周波数のサブキャリアにより、所定の時間間隔で送信される。
【００１１】
送信アンテナＴ0及び送信アンテナＴ1では、図９に示すように、例えば２個のスロット毎に、所定の周波数のサブキャリアに２個のリファレンスシグナルがマッピングされ、その時間方向の間にはサブキャリアを介して６個のデータシンボルが挿入される。例えば図９において、リファレンスシグナルＳ1とＳ2、リファレンスシグナルＳ3とＳ4、リファレンスシグナルＳ5とＳ6は、それぞれ所定の周波数のサブキャリアにマッピングされ、その両者の時間方向の間には、６個のデータシンボルが挿入される。
【００１２】
送信アンテナＴ2及び送信アンテナＴ3では、図１０に示すように、２個のスロット毎に、所定の周波数のサブキャリアに１個のリファレンスシグナルがマッピングされ、同じ周波数で時間方向に並ぶサブキャリアの間には、１３個のデータシンボルが挿入される。
【００１３】
チャネル推定部１１１は、このようなリファレンスシグナルがマッピングされた第１のサブキャリアのチャネル推定値を求める。
【００１４】
チャネル推定部１１２は、チャネル推定部１１１により求められたリファレンスシグナルがマッピングされた第１のサブキャリアのチャネル推定値に基づいて、第１のサブキャリアの間の所定の位置にあるサブキャリア（以下、第２のサブキャリアと称する）の仮のチャネル推定値（以下、第２のサブキャリアのチャネル推定値と称する）を求める。この例では、図９及び図１０において斜線が付されている位置にあるサブキャリアの仮のチャネル推定値が求められる。
【００１５】
具体的には、時間方向において隣に位置する第１のサブキャリアのチャネル推定値の差異の平均値と周波数方向において隣に位置する第１のサブキャリアのチャネル推定値の差異の平均値が比較される（ステップＳ１０２）。
【００１６】
そして時間方向における第１のサブキャリアのチャネル推定値の差異の方が小さいと判定された場合、第２のサブキャリアに対して時間方向において隣に位置する第１のサブキャリアのチャネル推定値を、例えば線形補間して第２のサブキャリアのチャネル推定値が求められる（ステップＳ１０３）。一方周波数方向における第１のサブキャリアのチャネル推定値の差異の方が小さいと判定された場合、第２のサブキャリアに対して周波数方向において隣に位置する第１のサブキャリアのチャネル推定値を、例えば線形補間して第２のサブキャリアのチャネル推定値が求められる（ステップＳ１０４）。
【００１７】
第１のサブキャリアのチャネル推定値（ステップＳ１０１）と第２のサブキャリアのチャネル推定値（ステップＳ１０３又はステップＳ１０４）は、仮想波形追加部１１３に入力される。仮想波形追加部１１３は、チャネル推定値算出に高速フーリエ変換（ＦＦＴ）処理を利用することができるようにサンプル数が２のべき乗になるように波形を追加する（ステップＳ１０５）。
【００１８】
具体的には仮想波形追加部１１３は、第１のサブキャリアのチャネル推定値サンプルと第２のサブキャリアのチャネル推定値サンプルの後に０値のデータ列を付加して、全データ長が２のべき乗になるようにする。
【００１９】
その後、ＩＦＦＴ（Inverse Fast Fourier Transform）処理部１１４は、周波数成分から時間領域の複素遅延プロファイルへと変換（生成）する（ステップＳ１０６）。
【００２０】
次に雑音抑圧部１１５は、複素遅延プロファイルから電力遅延プロファイルを求め、電力遅延プロファイルが規定の閾値以下となるサンプルを雑音とみなし、複素遅延プロファイルの当該サンプルを０値に置き換える（ステップＳ１０７）。
【００２１】
雑音抑圧処理後の複素遅延プロファイルは、ＦＦＴ処理部１１６で再び周波数成分へ変換される（ステップＳ１０８）。その結果、雑音が抑圧された、各サブキャリアのチャネル推定値が求められる。
【００２２】
以上のように、第１のサブキャリアのチャネル推定値をチャネルの状況に応じて、時間方向又は周波数方向で補間して、第２のサブキャリアのチャネル推定値を求めるようにしたので、チャネル推定値を精度良く推定することができる。
【００２３】
また、第１のサブキャリアのチャネル推定値に加えて、第２のサブキャリアのチャネル推定値を用いることでＩＦＦＴ処理のポイント数を増やして、複素遅延プロファイルを詳細に表現するようにしたので、サブキャリアのチャネル推定値をＩＦＦＴ処理して、複素遅延プロファイルを生成し、規定の閾値以下の成分を雑音とみなして０値に置き換えることにより、雑音の影響を抑圧するチャネル推定方式においては（特許文献１、非特許文献１参照）、雑音抑圧の精度が高まり、チャネル推定値を精度よく推定することができる。
【先行技術文献】
【特許文献】
【００２４】
【特許文献１】特開２００８−１６７０８８号公報
【非特許文献】
【００２５】
【非特許文献１】伊達木隆、小川大輔、古川秀人、“仮想的な波形追加を用いたＯＦＤＭチャネル推定法（ＯＦＤＭ Channel Estimation by Adding a Virtual Channel Frequency Response）”、電子情報通信学会総合大会、B-5-94、2006
【発明の概要】
【発明が解決しようとする課題】
【００２６】
しかしながら、例えばＬＴＥにおける送信アンテナＴ2及び送信アンテナＴ3での場合のように（図１０）、リファレンスシグナルの時間方向の挿入間隔が大きい場合、２個のリファレンスシグナル間でチャネル変動が生じるときや、時間方向に外挿して第２のサブキャリアのチャネル推定値を生成したとき等には、第２のサブキャリアのチャネル推定値を使用してもチャネル特性を改善できないことがある。
【００２７】
本発明は、このような状況に鑑みてなされたものであり、リファレンスシグナルの時間方向の挿入間隔が大きい場合でも、チャネル推定を精度良く行うことができるようにするものである。
【課題を解決するための手段】
【００２８】
本発明の信号処理装置は、複数のサブキャリアを用いた無線通信におけるチャネル推定を行う信号処理装置において、サブキャリアのチャネル推定値を逆フーリエ変換処理する逆フーリエ変換手段と、逆フーリエ変換処理により得られた複素遅延プロファイルの中心を含む所定の範囲のサンプルを除去する除去手段と、所定の範囲のサンプルが除去された複素遅延プロファイルをフーリエ変換処理するフーリエ変換手段とを有することを特徴とする。
【００２９】
リファレンスシグナルがマッピングされた第１のサブキャリアのチャネル推定値を、リファレンスシグナルから求める第１の推定手段と、第１のサブキャリアの間の所定の位置にある第２のサブキャリアのチャネル推定値を、第１のサブキャリアのチャネル推定値を補間して求める第２の推定手段とをさらに有し、逆フーリエ変換手段は、第１のサブキャリア及び第２のサブキャリアのチャネル推定値を逆フーリエ変換処理することができる。
【００３０】
第２の推定手段は、第２のサブキャリアに対して時間方向に位置する第１のサブキャリアのチャネル推定値の差異と周波数方向に位置する第１のサブキャリアのチャネル推定値の差異を比較し、差異が小さい方のチャネル推定値を補間して第２のサブキャリアのチャネル推定値を推定し、除去手段は、第２の推定手段により、時間方向に位置する第１のサブキャリアのチャネル推定値が補間されて第２のサブキャリアのチャネル推定値が求められたとき、逆フーリエ変換処理により得られた複素遅延プロファイルの中心を含む所定の範囲のサンプルを除去することができる。
【００３１】
除去手段は、第２の推定手段により、外挿によって第２のサブキャリアのチャネル推定値が求められたとき、逆フーリエ変換処理により得られた複素遅延プロファイルの中心を含む所定の範囲のサンプルを除去することができる。
【００３２】
除去手段は、所定の範囲のサンプルの値を、０値又は所定の値より小さい値に置き換えることができる。
【００３３】
複素遅延プロファイルの有効な遅延パス長以降にあるピーク値を０値又は所定の値より小さい値に置き換えることができる。
【発明の効果】
【００３４】
本発明によれば、リファレンスシグナルの時間方向の挿入間隔が大きい場合でも、チャネル推定を精度よく行うことができる。
【図面の簡単な説明】
【００３５】
【図１】送信機の構成例を示すブロック図である。
【図２】本発明の実施の形態としての受信機の構成例を示すブロック図である。
【図３】図２のチャネル推定部の構成例を示すブロック図である。
【図４】図２のチャネル推定部におけるチャネル推定処理の流れを示すフローチャートである。
【図５】第２のサブキャリアのチャネル推定値と実際のチャネル特定との誤差を示す図である。
【図６】第２のサブキャリアのチャネル推定値の誤差の影響が取り除かれていることを示す図である。
【図７】一般的なチャネル推定部の構成例を示すブロック図である。
【図８】図７のチャネル推定部におけるチャネル推定処理の流れを示すフローチャートである。
【図９】リファレンスシグナルのマッピング例を示す図である。
【図１０】リファレンスシグナルの他のマッピング例を示す図である。
【発明を実施するための形態】
【００３６】
本発明の実施の形態として、３ＧＰＰのＬＴＥにおけるチャネル推定を用いて以下に説明する。
【００３７】
図１は、一般的なＬＴＥの送信機１の構成例を示すブロック図である。送信機１は、チャネル符号化部１１、チャネル変調部１２、ＩＦＦＴ（Inverse Fast Fourier Transform）処理部１３、ＣＰ（Cyclic Prefix）付加部１４、Ｄ／Ａ（Digital/Analog）変換部１５、及び送信アンテナ１６を有している。
【００３８】
チャネル符号化部１１には、送信機１に供給された各ユーザ宛の送信データが入力される。チャネル符号化部１１に入力された送信データは、チャネル符号化部１１で、誤り検出符号化と誤り訂正符号化が施され、チャネル変調部１２で、Ｉ成分又はＱ成分に、リファレンスシグナルとともにマッピングされる（図９又は図１０）。
【００３９】
次に、ＩＦＦＴ処理部１３で、時間領域の信号波へ変換された後、ＣＰ付加部１４で、マルチパスによるシンボル間干渉の影響を防ぐために、ＯＦＤＭシンボルの先頭にＣＰが付加される。ＣＰが付加されたＯＦＤＭシンボルは、Ｄ／Ａ変換部１５で、デジタル信号からアナログ信号へ変換された後、送信アンテナ１６から送信される。
【００４０】
図２は、本発明を適用したＬＴＥの受信機２の構成例を示すブロック図である。受信機２は、受信アンテナ２１、Ａ／Ｄ（Analog/Digital）変換部２２、ＦＦＴタイミング検出部２３、ＣＰ除去部２４、ＦＦＴ（Fast Fourier Transform）処理部２５、チャネル推定部２６、復調部２７、及び復号部２８を有して構成されている。
【００４１】
受信アンテナ２１から受信された受信信号は、Ａ／Ｄ変換部２２によりアナログ信号からデジタル信号に変換された後、ＦＦＴタイミング検出部２３に入力される。ＦＦＴタイミング検出部２３では、受信信号の自己相関のピークを検出する手段等により、高速フーリエ変換（ＦＦＴ）を行うタイミングが検出される。
【００４２】
この高速フーリエ変換（ＦＦＴ）のタイミング情報を用い、ＣＰ除去部２４では、受信信号から有効シンボル区間の信号系列が切り出され、これがＦＦＴ処理部２５に出力される。ＦＦＴ処理部２５では、入力される有効シンボル区間の信号系列に対して高速フーリエ変換（ＦＦＴ）処理が施され、その結果、各サブキャリアの受信信号が得られる。
【００４３】
ＦＦＴ処理部２５で得られる各サブキャリアの受信信号は、それぞれチャネル推定部２６に入力され、チャネル推定部２６において、データシンボルとともに多重されて送信されるリファレンスシグナルを利用して、各サブキャリアのチャネル推定値が推定される。
【００４４】
各サブキャリアの受信信号に対して、それぞれのチャネル推定値の複素共役数が乗算される。その結果、マルチパスフェージング等に起因する通信路での信号の歪みが補償される。その後、復調部２７で各サブキャリアの受信信号を基に、データ信号の復調処理が行われ、復調したデータ信号が復号部２８で誤り訂正復号されて送信データ信号が復元される。
【００４５】
図３は、チャネル推定部２６の構成例を示すブロック図である。図４は、このチャネル推定部２６におけるチャネル推定処理の流れを示すフローチャートである。このチャネル推定部２６は、図７のチャネル推定部１０１のチャネル推定部１１２及び雑音抑圧部１１５に代えて、チャネル推定部５１及び雑音抑圧部５２が設けられ、制御部５３がさらに設けられている。
【００４６】
図３及び図４を参照して、チャネル推定部２６の各部の動作、及びチャネル推定部２６におけるチャネル推定処理を説明する。
【００４７】
チャネル推定部１１１は、チャネル推定部２６に供給された各サブキャリアの受信信号から、データシンボルとともに多重されているリファレンスシグナルのパターンをキャンセルし、リファレンスシグナルがマッピングされた第１のサブキャリアのチャネル推定値を求める（ステップＳ１１）。
【００４８】
チャネル推定部５１は、第１のサブキャリアのチャネル推定値に基づいて、第１のサブキャリアの間の所定の位置にある第２のサブキャリアのチャネル推定値を求める。
【００４９】
具体的には、図７のチャネル推定部１１２と同様に、時間方向において隣に位置する第１のサブキャリアのチャネル推定値の差異の平均値と周波数方向において隣に位置する第１のサブキャリアのチャネル推定値の差異の平均値が比較される（ステップＳ１２）。
【００５０】
そして時間方向における第１のサブキャリアのチャネル推定値の差異の方が小さいと判定された場合、第２のサブキャリアに対して時間方向において隣に位置する第１のサブキャリアのチャネル推定値を、例えば線形補間して第２のサブキャリアのチャネル推定値が求められる（生成される）（ステップＳ１３）。一方周波数方向における第１のサブキャリアのチャネル推定値の差異の方が小さいと判定された場合、第２のサブキャリアに対して周波数方向において隣に位置する第１のサブキャリアのチャネル推定値を、例えば線形補間して第２のサブキャリアのチャネル推定値が求められる（生成される）（ステップＳ１４）。
【００５１】
チャネル推定部５１は、このようにして第２のサブキャリアのチャネル推定値を求めると、そのチャネル推定値を得るための補間方法、即ち時間方向において隣に位置する第１のサブキャリアのチャネル推定値を補間して（即ち時間方向に補間して）第２のサブキャリアのチャネル推定値を求めたか、又は周波数方向において隣に位置する第１のサブキャリアのチャネル推定値を補間して（即ち周波数方向に補間して）第２のサブキャリアのチャネル推定値を求めたかを示す情報を、制御部５３に通知する（ステップＳ１５）。
【００５２】
仮想波形追加部１１３は、チャネル推定部５１から入力された、第１のサブキャリアのチャネル推定値（ステップＳ１１）と第２のサブキャリアのチャネル推定値（ステップＳ１３又はステップＳ１４）に、サンプル数が２のべき乗になるように波形を追加する（ステップＳ１６）。
【００５３】
その後、ＩＦＦＴ処理部１１４は、周波数成分から時間領域の複素遅延プロファイルへと変換（生成）する（ステップＳ１７）。
【００５４】
次に雑音抑圧部５２は、図７の雑音抑圧部１１５と同様に、複素遅延プロファイルから電力遅延プロファイルを求め、電力遅延プロファイルが規定の閾値以下となるサンプルを雑音とみなし、複素遅延プロファイルの当該サンプルを０値に置き換える（ステップＳ１８）。
【００５５】
雑音抑圧部５２はさらに、第２のサブキャリアのチャネル推定値生成時の補間方法を判定する（ステップＳ１９）。時間方向に補間して求められた場合には（即ちリファレンスシグナルの挿入間隔が大きい方向に補間された場合には）、雑音抑圧部５２は、電力遅延プロファイルの大きさにかかわらず、複素遅延プロファイルの中心を含む所定の範囲のサンプルを０値に置き換える（ステップＳ２０）。なお、補間方法は、制御部５３により適宜通知される。
【００５６】
ＬＴＥのシステムの送信アンテナＴ2や送信アンテナＴ3のように、リファレンスシグナルの時間方向の挿入間隔が大きい場合には、２つのリファレンスシグナル間でチャネルの変動が生じることがある。このような場合に時間方向に補間して第２のサブキャリアのチャネル推定値を求めると、実際のチャネル特性とそのチャネル推定値との誤差が大きくなる場合がある。その一例を図５に示す。
【００５７】
図５の実線は、実際のチャネル特性を示している。即ち図５の例では、リファレンスシグナル間でチャネルの変動が生じたため、時間方向の補間によって求められた第２のサブキャリアのチャネル推定値と実際のチャネル特性との誤差が大きくなっている。
【００５８】
なお時間方向における第１のサブキャリアのチャネル推定値の差異と周波数方向における第１のサブキャリアのチャネル推定値の差異に基づいて補間方法が決定されているが、チャネル状況によっては、リファレンスシグナルの挿入間隔が大きい場合であっても、時間方向に補間される場合がある。
【００５９】
このように、第２のサブキャリアのチャネル推定値と実際のチャネル特性との誤差が大きい場合、チャネル推定値をＩＱ平面上にプロットすると、リファレンスシグナルから求められた精度の良い第１のサブキャリアのチャネル推定値と、誤差の大きい第２のサブキャリアのチャネル推定値が交互に並ぶため、図６の最上段に示すように、鋸状の波形になる。
【００６０】
このような波形の電力遅延プロファイルは、図６の中段に示すように、中心部分にも大きなピークが現れる。このピークは雑音抑圧の閾値よりも大きいため、雑音抑圧処理（図４のステップＳ１８）では取り除くことができず、受信特性劣化の原因となる。
【００６１】
そこで、この中心部分を強制的に０値に置き換え、その部分のサンプルを除去することで、チャネル推定の精度を向上させることができる。図６の最下段は、図６の中段の電力遅延プロファイルの中心を含む全体の１／３の大きさの範囲を０値に置き換え、ＦＦＴ処理し、再び周波数領域のチャネル推定値に変換したものである。図６の最上段に示すチャネル推定値と比較すると、なめらかな波形になっており、第２のサブキャリアのチャネル推定値の誤差が取り除かれていることがわかる。
【００６２】
図４に戻り第２のサブキャリアのチャネル推定値が周波数方向の補間によって求められた場合は、複素遅延プロファイルの中心部分を０値に置き換える処理は実施されない（即ちステップＳ２０の処理はスキップされる）。
【００６３】
雑音抑圧処理後の複素遅延プロファイル（ステップＳ２０で中心部分が０値に置き換えられた複素遅延プロファイル、又はその処理がスキップされた複素遅延プロファイル）は、ＦＦＴ処理部１１６で再び周波数成分へ変換される（ステップＳ２１）。その結果、雑音が抑圧されて、各サブキャリアのチャネル推定値が求められる。
【００６４】
以上のように、ＯＦＤＭ通信方式を用いた無線通信システムにおいて、チャネル推定値の複素遅延プロファイルの中心部分のサンプルを除去するようにしたので、チャネル推定を精度よく行うことができる。
【００６５】
なお以上においては、非特許文献１や特許文献１に記載されているチャネル推定方式のように、複素遅延プロファイルを求め、雑音抑圧を行うチャネル推定方式を例として説明したが、必ずしも雑音抑圧処理を行う必要はない。しかしながら、雑音抑圧処理を利用すれば、わずかな変更で、チャネル推定の精度を向上させ、受信特性を改善することができる。
【００６６】
また以上においては、時間方向に補間して第２のサブキャリアのチャネル推定値を求めた場合のみ、複素遅延プロファイルの中心部分を０値に置き換える処理を行っているが、補間の方向によらず、常に、中心部分を０値に置き換える処理を行うようにすることもできる。さらに、ＬＴＥのように送信アンテナによってリファレンスシグナルの挿入間隔が異なるシステムでは、上述したように、挿入間隔が大きい場合のみ、遅延プロファイルの中心部分を０値に置き換える処理を行っても良いし、常に全ての送信アンテナに対しその処理を行うようにすることもできる。
【００６７】
また以上においては、時間方向に補間して第２のサブキャリアのチャネル推定値を求めた場合に、複素遅延プロファイルの中心部分を０値に置き換えたが、移動速度やチャネルの時間変動等の情報を用いて、移動速度が速い場合、チャネルの時間変動が激しい場合に、複素遅延プロファイルの中心部分を０値に置き換えるようにすることもできる。
【００６８】
また以上においては、リファレンスシグナルの挿入間隔が大きい場合の対処法として本発明を説明したが、挿入間隔によらず、外挿によって第２のサブキャリアのチャネル推定値を求めた場合など、第２のサブキャリアのチャネル推定値の精度が悪い場合の改善法として本発明を用いることもできる。
【００６９】
また以上においては、複素遅延プロファイルの中心を含む全体の１／３の大きさの範囲を０値に置き換えたが、必ずしもこの範囲に限る必要はない。チャネルの状況に応じて、０値に置き換える範囲を変化させたり、移動させたりしてもよい。もしくは、有効な遅延パス長（ＣＰ長）以降にあるピークを検出し、ピーク位置とその周辺を０値に置き換えるようにしてもよい。また、置き換える値も０値に限るものではなく、除去されたとみなされるのに十分に小さい値であれば、他の値でも良い。
【００７０】
また以上においては、３ＧＰＰで議論されているＬＴＥを例に説明したが、必ずしもこれに限るものではない。他のＯＦＤＭ通信方式を用いたシステムや、他の無線通信システムでも同様に適用することができる。
【００７１】
なお、上記の処理機能は、コンピュータによって実現することができる。その場合、信号処理装置が有すべき機能の処理内容を記述したプログラムが提供される。そのプログラムをコンピュータで実行することにより、上記処理機能がコンピュータ上で実現される。
【符号の説明】
【００７２】
２６  チャネル推定部，  ５１  仮推定値生成部，  ５２  雑音抑圧部，  ５３  制御部
【図１】
2010183277.tif 000003
【図２】
2010183277.tif 000004
【図３】
2010183277.tif 000005
【図４】
2010183277.tif 000006
【図５】
2010183277.tif 000007
【図６】
2010183277.tif 000008
【図７】
2010183277.tif 000009
【図８】
2010183277.tif 000010
【図９】
2010183277.tif 000011
【図１０】
2010183277.tif 000012